(57)【要約】【課題】スタンドを備えた電子装置の背面ケースの着脱を容易化することにある。【解決手段】筐体（４）に設置されたシャーシ（本体シャーシ１０）にスタンド（１４）を取り付け、シャーシ（本体シャーシ１０）の背面側を覆う背面ケース（８）に前記スタンド（１４）を挿通させる切欠き（切欠き部３０）を備え、スタンド（１４）と無関係に背面ケース（８）の着脱を可能にしている。さらに、前記シャーシ（本体シャーシ１０）または前記スタンドに備えられ、前記背面カバーの前記切欠きを塞ぐカバー（背面カバー３２）とを備えている。【選択図】図１
2012230976.tif 000002
【特許請求の範囲】
【請求項１】
筐体と、
前記筐体に設置されたシャーシに取り付けられ、前記筐体の背面側に突出するスタンドと、
前記筐体の背面側に着脱可能に設置されて前記シャーシを覆うとともに、前記スタンドを挿通させる切欠きを備えた背面ケースと、
を備えることを特徴とする電子装置。
【請求項２】
さらに、前記シャーシまたは前記スタンドに備えられ、前記背面ケースの前記切欠きを塞ぐカバーと、
を備えることを特徴とする請求項１に記載の電子装置。
【請求項３】
さらに、前記筐体の前面側に画面を露出する表示部と、
を備えることを特徴とする請求項１に記載の電子装置。
【請求項４】
筐体に設置されるシャーシまたは前記筐体に設置されたシャーシにスタンドを取り付け、
前記スタンドを切欠きに挿通させて背面ケースを前記筐体の背面側に取り付ける、
ことを特徴とする電子装置の製造方法。
【請求項５】
さらに、前記シャーシまたは前記スタンドに前記背面ケースの前記切欠きを塞ぐカバーを取り付ける、
ことを特徴とする請求項３に記載の電子装置の製造方法。
【発明の詳細な説明】
【技術分野】
【０００１】
本発明は、平面型ディスプレィ装置や平面型パーソナルコンピュータなど、スタンドを備える電子装置およびその製造方法に関する。
【背景技術】
【０００２】
装置筐体に背面側から突出するスタンドを備え、このスタンドによって支持する平面型の電子装置が普及している。
【０００３】
このような平面型の電子装置について、特許文献１には、前面ケースの後部にディスプレイパネルユニットが取り付けられ、このユニットの後部に取り付けられた背面ケースにスタンド４を取り付ける構造が記載されている。
【先行技術文献】
【特許文献】
【０００４】
【特許文献１】特開２００３−８２５２号公報
【発明の概要】
【発明が解決しようとする課題】
【０００５】
ところで、筐体に設置されるスタンドが背面ケースと一体に固定される構造では、筐体から背面ケースを外す際に、スタンドを取り外すことが必要である。筐体に設置されたシャーシ上にある回路の調整や、メンテナンスの際、シャーシを筐体から露出させるには、背面ケースの取外しが必要となる。その際、スタンドの取外しが必要であり、取外し部材の点数が多く、手間がかかる。組立て性やメンテナンス性が悪いという課題がある。
【０００６】
そこで、本開示の電子装置およびその製造方法は、スタンドを備えた電子装置の背面ケースの着脱を容易化することにある。
【課題を解決するための手段】
【０００７】
上記目的を達成するため、本開示の電子装置およびその製造方法は、筐体に設置されたシャーシにスタンドを取り付け、シャーシの背面側を覆う背面ケースに前記スタンドを挿通させる切欠きを備え、スタンドと無関係に背面ケースの着脱を可能にしている。
【発明の効果】
【０００８】
本開示の電子装置およびその製造方法によれば、次のいずれかの効果が得られる。
【０００９】
(1) シャーシに取り付けられたスタンドに関係なく、背面ケースを着脱でき、電子装置の組立て性やメンテナンス性を高めることができる。
【００１０】
(2) 背面ケースの着脱に際し、スタンドの取外しが不要であるから、スタンドの着脱の手数が不要であるとともに、スタンドの取り付け強度を低下させることがない。
【００１１】
そして、本発明の他の目的、特徴及び利点は、添付図面及び各実施の形態を参照することにより、一層明確になるであろう。
【図面の簡単な説明】
【００１２】
【図１】第１の実施の形態に係る電子装置の背面ケースの着脱を示す図である。
【図２】電子装置の組立て工程の一例を示すフローチャートである。
【図３】第２の実施の形態に係るパーソナルコンピュータを示す図である。
【図４】パーソナルコンピュータの背面を示す図である。
【図５】パーソナルコンピュータの側面を示す図である。
【図６】図４のVI−VI線で切断し前面ケース側を省略した切断面を示す断面図である。
【図７】パーソナルコンピュータから外された背面ケースを示す斜視図である。
【図８】第１の着脱機構による着脱を示す断面図である。
【図９】第２の着脱機構による着脱を示す断面図である。
【図１０】背面ケースが外された筐体の内部を示す斜視図である。
【図１１】シールドパネルが外された筐体の内部を示す斜視図である。
【図１２】本体シャーシから外されたシールドパネルを示す斜視図である。
【図１３】背面カバーおよびシールドパネルの一部を示す斜視図である。
【図１４】背面カバーが外されスタンドが切り欠いてシールドパネルを示す斜視図である。
【図１５】スタンドおよび背面カバーが外されたシールドパネルを示す斜視図である。
【図１６】スタンドおよびシールドパネルの一部を示す斜視図である。
【図１７】スタンドおよびシールドパネルの一部を背面側から示す斜視図である。
【図１８】パーソナルコンピュータの組立て工程の一例を示すフローチャートである。
【発明を実施するための形態】
【００１３】
〔第１の実施の形態〕
【００１４】
第１の実施の形態の電子装置について、図１を参照する。図１は電子装置の一例を示している。図１に示す構成は一例であり、斯かる構成に本発明が限定されるものではない。
【００１５】
図１に示す電子装置２は本開示の電子装置の一例である。この電子装置２は、平板型の筐体４を備え、この筐体４を立設させるスタンド構造を備えている。この筐体４は、前面ケース６と背面ケース８を備えている。この筐体４には前面ケース６に固定された本体シャーシ１０が収納されている。
【００１６】
この本体シャーシ１０にはスタンド支持部１２とともにスタンド１４が取り付けられている。スタンド支持部１２はスタンド１４の支持部材であるとともに、本体シャーシ１０にスタンド１４を固定するための固定部材でもある。また、このスタンド支持部１２は、本体シャーシ１０に実装されるハードディスクドライブ（Hard Disk Drive ：ＨＤＤ）ユニットなどの実装部品のシールド部材で構成してもよい。また、このスタンド支持部１２を省略し、本体シャーシ１０にスタンド１４を直接固定してもよい。
【００１７】
このスタンド１４とスタンド支持部１２との間にはヒンジ部１６が備えられ、このヒンジ部１６を回転中心に前後方向にスタンド１４が回動可能である。スタンド１４の傾斜角度θ1 により、筐体４の傾斜角度θ2 を調節することができる。
【００１８】
背面ケース８は前面ケース６に設置されている本体シャーシ１０の背面側を覆う遮蔽部材であり、本体シャーシ１０上のスタンド１４と無関係に着脱される。この着脱のため、前面ケース６と背面ケース８との間には第１および第２の着脱機構１８Ａ、１８Ｂが設けられている。一例としての着脱機構１８Ａでは、前面ケース６の上縁に形成された複数の係合凹部２０と、背面ケース８の上縁側に備えた鉤部２２とで構成されている。また、着脱機構１８Ｂでは、本体シャーシ１０の下縁に形成された複数のねじ孔２４と、背面ケース８の下縁側に備えた貫通孔２６と、この貫通孔２６を貫通してねじ孔２４に取り付けられる固定ねじ２８とで構成されている。
【００１９】
これら二つの着脱機構１８Ａ、１８Ｂにより前面ケース６と着脱される背面ケース８には、切欠き部３０が形成されている。この切欠き部３０は本体シャーシ１０上にあるスタンド１４を挿通させることができる形状および切欠面積を有する。また、背面ケース８を前面ケース６に合体させた状態では、この切欠き部３０からスタンド１４が突出し、スタンド機能を果たす。そして、背面ケース８の切欠き部３０を塞ぐ背面カバー３２が備えられ、この背面カバー３２がスタンド支持部１２に取り付けられている。
【００２０】
斯かる構成では、背面ケース８と前面ケース６および本体シャーシ１０との着脱を着脱機構１８Ａ、１８Ｂにより行うことができる。すなわち、スタンド１４を本体シャーシ１０から外すことなくつまり、スタンド１４と分離し、単体である背面ケース８のみを着脱することができる。
【００２１】
背面ケース８が前面ケース６および本体シャーシ１０に取り付けられた状態では、背面ケース８の切欠き部３０がスタンド１４の下側にある背面カバー３２で塞がれるので、切欠き部３０から筐体４の内部を露出させることもない。背面カバー３２により、切欠き部３０の内部が防護されている。
【００２２】
次に、この電子装置２の製造について、図２を参照する。図２は製造工程の一例を示している。
【００２３】
図２に示す組立て手順は、本開示の電子装置の製造方法の一例である。この組立手順では、筐体４に前面ケース６を取り付け、筐体４内にＬＣＤ（Liquid Crystal Display）ユニットなどを実装し、本体シャーシ１０を取り付ける（ステップＳ１１）。この本体シャーシ１０にスタンド支持部１２を取り付ける（ステップＳ１２）。このスタンド組立てでは、スタンド支持部１２にはスタンド１４を予め固定してもよいし、本体シャーシ１０に取り付けられたスタンド支持部１２にスタンド１４を固定してもよい。
【００２４】
筐体４には前面ケース６と着脱機構１８Ａ、１８Ｂにより着脱可能な背面ケース８を用意し、この背面ケース８にはスタンド１４を挿通可能な切欠き部３０を形成する。この切欠き部３０を備える背面ケース８の切欠き部３０に本体シャーシ１０上にあるスタンド１４挿通させ、背面ケース８を取り付ける（ステップＳ１３）。
【００２５】
この背面ケース８の取付けには、先に着脱機構１８Ａの係合を行う（ステップＳ１４）。すなわち、前面ケース６にある各係合凹部２０に背面ケース８にある各鉤部２２を挿入し、両者を係合させる。この係合により、前面ケース６側にある本体シャーシ１０のねじ孔２４に背面ケース８側の貫通孔２６を合わせ、貫通孔２６側から差し込んだ固定ねじ２８で背面ケース８と本体シャーシ１０とを固定する（ステップＳ１４）。
【００２６】
このように、背面ケース８は本体シャーシ１０側に固定されているスタンド１４と分離し、スタンド１４と無関係に着脱することができる。このため、スタンド１４が本体シャーシ１０つまり、本体構造部品と一体化され、背面ケース８と分離して組み立てられるので、組立て工程を省略して工数削減を図ることができる。つまり、スタンド１４と背面ケース８とが分離、独立した取付け構造を備えたことにより、電子装置２の組立て性やメンテナンス性が高められている。
【００２７】
背面ケース８やスタンド１４の分解は上記組立て手順と逆に行えばよく、組立工数の削減と同様に分解工数を削減でき、筐体４内の部品交換などのメンテナンス性の容易化、迅速化を図ることができる。
【００２８】
〔第２の実施の形態〕
【００２９】
第２の実施の形態に係るパーソナルコンピュータについて、図３を参照する。図３はパーソナルコンピュータの前面を示している。図３に示す構成は一例であり、斯かる構成に本発明が限定されるものではない。図３において、図１と同一部分には同一符号を付してある。
【００３０】
図３に示すパーソナルコンピュータ４２（以下単に「ＰＣ４２」と称する。）は、本開示の電子装置の一例である。このＰＣ４２は、筐体４、前側に一対のスタンド４４と後側にスタンド１４とを備えている。筐体４の前面側には画面を露出させ、画像を表示する表示部４８が備えられている。表示部４８はたとえば、既述のＬＣＤユニットで構成され、また、プラズマディスプレイであってもよい。前側のスタンド４４は一対で構成されて筐体４の左右側部に設けられている。スタンド１４は筐体４の背面側に設置され、支持座面はスタンド４４より広く形成されている。これにより、筐体４は一対のスタンド４４と単一のスタンド１４の３点で安定して支持され、立設される。
【００３１】
このＰＣ４２の背面構成について、図４を参照する。図４はＰＣ４２の背面を示している。
【００３２】
筐体４の背面には図４に示すように、背面ケース８が設置され、この背面ケース８は既述の着脱機構１８Ａ、１８Ｂ（図１）により着脱可能に固定されている。着脱機構１８Ｂには固定ねじ２８が用いられている。この背面ケース８には中央下部に切欠部３０が形成され、この切欠部３０からスタンド１４を突出させている。スタンド１４は、筐体４内に設置された本体シャーシ１０（図１）に強固に固定されている。本体シャーシ１０に固定されているスタンド１４と、既述の通り背面ケース８とは分離されて構成されている。したがって、本体シャーシ１０に対するスタンド１４の組立てと、筐体４に対する背面ケース８の組立てを別個に行うことができる。
【００３３】
このＰＣ４２の側面構成について、図５および図６を参照する。図５はＰＣ４２の側面を示している。
【００３４】
筐体４の背面ケース８から突出したスタンド１４の基部にはヒンジ部１６が備えられ、このヒンジ部１６によりスタンド１４と筐体４との傾斜角度θ1 を調節することができる。この傾斜角度θ1 の調節により、表示部４８の鉛直線に対する傾斜角度θ2 を調整することができる。
【００３５】
図６は、図４のVI−VI線で切断されたＰＣ４２の断面を前面ケース６側の構成およびスタンド４４の構成を省略して示している。筐体４の内部には、本体シャーシ１０が設置され、この本体シャーシ１０にはスタンド１４を固定するシールドパネル４６が取り付けられている。このシールドパネル４６は、既述のスタンド支持部１２（図１）の一例である。このシールドパネル４６には、スタンド１４が取り付けられるスタンド取付け部５２が備えられ、このスタンド取付け部５２にはスタンド１４のヒンジ部１６が取り付けられている。スタンド１４は、合成樹脂の成形体である前面部材５４と背面部材５６とを接合し、中間に操作用の窓部５８が形成されている。
【００３６】
この背面ケース８について、図７を参照する。図７は背面ケース８を背面から見て示している。
【００３７】
この背面ケース８は図７に示すように、合成樹脂の成形体であり、筐体４の前面ケースに当接されるケース本体６０が備えられている。このケース本体６０には後方に突出した膨出部６２が備えられている。膨出部６２はケース本体６０から段差を設けて段階的に後方に突出させており、背面ケース８の補強部を構成するとともに、本体シャーシ１０に実装される部品の防護機能を果たす。この背面ケース８には既述の切欠き部３０が膨出部６２の中央から下縁部に亘って形成されている。切欠き部３０の上縁には膨出部６２の平面から垂直に立ち上がるフランジ部６４が形成されている。このフランジ部６４は、スタンド１４のヒンジ部１６の防護壁を構成している。
【００３８】
この背面ケース８の第１の着脱機構１８Ａについて、図８を参照する。図８は第１の着脱機構１８Ａの着脱前後を示している。
【００３９】
この着脱機構１８Ａは、図８の（Ａ）に示すように、筐体４の前面ケース６の上縁内面部に形成された突部２１と、この突部２１の内側に係合する突部２３とで構成されている。突部２３は前面ケース６内に嵌合させる背面ケース８の上縁に形成されている。
【００４０】
斯かる構成では、前面ケース６の突部２１に背面ケース８の突部２３を位置決めし、図８の（Ａ）に示す状態から両者を合致させる。そして、合成樹脂の成形体である前面ケース６および背面ケース８が持つ弾性を利用し、図８の（Ｂ）に示すように、両者を噛み合わせ、結合することができる。
【００４１】
この背面ケース８の第２の着脱機構１８Ｂについて、図９を参照する。図９は第２の着脱機構１８Ｂの着脱前後を示している。
【００４２】
この着脱機構１８Ｂは、図９の（Ａ）に示すように、前面ケース６に設置された本体シャーシ１０の下縁側にシャーシ部材を折り返して固定部６６が形成されている。この固定部６６には既述の複数のねじ孔２４が形成されている。背面ケース８およびシールドパネル４６にはねじ孔２４に対応する既述の貫通孔２６が形成されている。背面ケース８側の貫通孔２６は、背面ケース８の下縁部に突出形成された防護壁６７によって包囲されることにより防護されている。
【００４３】
斯かる構成では、前面ケース６側にある本体シャーシ１０のねじ孔２４と背面ケース８の貫通孔２６とを位置決めし、図９の（Ａ）に示す状態から両者を合致させる。そして、背面ケース８の貫通孔２６から固定ねじ２８を本体シャーシ１０のねじ孔２４に到達させ、図９の（Ｂ）に示すように、固定ねじ２８をねじ込めば、本体シャーシ１０と背面ケース８とを固定できる。
【００４４】
このような着脱機構１８Ｂによると既述の着脱機構１８Ａ（図８）とにより、背面ケース８を筐体４として構成させ、前面ケース６および本体シャーシ１０に対し、本体シャーシ１０側のスタンド１４に関係なく、着脱可能に取り付けることができる。
【００４５】
この背面ケース８を外したＰＣ４２について、図１０を参照する。図１０は背面ケース８を外したＰＣ４２の背面側を示している。
【００４６】
ＰＣ４２から背面ケース８を外すと、図１０に示すように、筐体４内を露出させることができる。この筐体４内には、本体シャーシ１０、本体シャーシ１０上にあるシールドパネル４６およびスタンド１４が設置されている。
【００４７】
スタンド１４はシールドパネル４６に取り付けられており、このシールドパネル４６は本体シャーシ１０に複数の固定ねじ６８によって固定されている。シールドパネル４６には固定ねじ６８を貫通させるための複数の貫通孔７０が形成されている。したがって、シールドパネル４６は、固定ねじ６８により本体シャーシ１０に対して着脱することができる。
【００４８】
このシールドパネル４６を外したＰＣ４２の内部について、図１１を参照する。図１１はシールドパネル４６を外したＰＣ４２の内部を示している。
【００４９】
本体シャーシ１０には一対の支持パネル７２Ａ、７２Ｂが平行に配置されて固定されている。この支持パネル７２Ａ、７２Ｂの間隔内にはＨＤＤユニット７４がブラケット７６とともに固定されている。各支持パネル７２Ａ、７２Ｂの固定部７８にはねじ孔８０が形成され、このねじ孔８０に既述のシールドパネル４６の貫通孔７０を合わせ、固定ねじ６８（図１０）によってシールドパネル４６が固定される。
【００５０】
ＰＣ４２から外されたシールドパネル４６について、図１２を参照する。図１２はシールドパネル４６を示している。
【００５１】
シールドパネル４６には、上縁にアーム部８２、下縁に支持部８４、側縁に脚部８６が形成されている。アーム部８２および支持部８４は本体シャーシ１０に係合し、脚部８６が本体シャーシ１０の面部に載置される。したがって、シールドパネル４６は、本体シャーシ１０上の支持パネル７２Ａ、７２Ｂに固定されるとともに、アーム部８２、支持部８４および脚部８６によっても支持され、本体シャーシ１０と平行に維持される。
【００５２】
このシールドパネル４６にはスタンド１４が固定されるとともに、このスタンド１４の下側には背面ケース８の切欠き部５６を塞ぐ背面カバー３２が取り付けられている。この背面カバー３２は合成樹脂製の弾性を備えた成形体であり、両縁部に複数の固定部８８が形成されている。各固定部８８は固定ねじ９０によりシールドパネル４６に着脱可能に固定されている。
【００５３】
このようにシールドパネル４６はスタンド１４および背面カバー３２が一体化されるので、これらを一体化部品として扱うことができる。このため、搬送する部品単位を少なくでき、搬送形態を簡略化できる。
【００５４】
このシールドパネル４６から外された背面カバー３２について、図１３を参照する。図１３は背面カバー３２を示している。
【００５５】
この背面カバー３２は図１３に示すように、背面ケース８の切欠き部３０（図７）に対応した平面形状であるとともに、屈曲部９２を備えている。この屈曲部９２は筐体４の縁部に係合する係合部９４を備えている。この屈曲部９２と固定部８８を備えた本体部９６との間には平坦部９８が形成され、この平坦部９８にはケーブル挿通孔１００が形成されており、筐体４の内部回路からケーブルを挿通させることができる。各固定部８８が固定ねじ９０を貫通する貫通孔１０２が形成されている。
【００５６】
この背面カバー３２はシールドパネル４６に固定され、このシールドパネル４６には固定部８８を固定するためのねじ孔１０３が形成されている。したがって、シールドパネル４６には背面カバー３２が固定ねじ９０により、着脱可能に取り付けられる。
【００５７】
この背面カバー３２を外したシールドパネル４６について、図１４を参照する。図１４は背面カバー３２を外し、スタンド１４の一部を切り欠いてシールドパネル４６を示している。
【００５８】
このシールドパネル４６には既述のスタンド取付け部５２が設けられ、このスタンド取付け部５２にはスタンド１４のブラケット１０６がシールドパネル４６の裏側から挿通させた固定ねじ１０８によって固定されている。この実施の形態では、スタンド１４がシールドパネル４６の裏面側から着脱することができる。したがって、背面カバー３２を外しても、スタンド１４を固定する固定ねじ１０８の頭部がシールドパネル４６で覆われているので、固定ねじ１０８を操作することができないので、安全性が保たれる。
【００５９】
このスタンド１４が外されたシールドパネル４６について、図１５を参照する。図１５はスタンド１４を除いたシールドパネル４６を示している。
【００６０】
シールドパネル４６に設けられたスタンド取付け部５２には、スタンド１４のブラケット１０６を配置する位置決め部１１０が凹部によって形成されている。この位置決め部１１０には、スタンド取付け部５２のねじ孔１０３（図１５）に対応する複数の貫通孔１１４が形成されている。各貫通孔１１４には既述の固定ねじ１０８を挿通させる。
【００６１】
このスタンド１４について、図１６および図１７を参照する。図１６および図１７はスタンド１４の表裏面の固定構造を示している。
【００６２】
スタンド１４は、図１６および図１７に示すように、平板状の脚部１１６と、ヒンジ部１６と、一対のブラケット１０６を備えている。脚部１１６はブラケット１０６によってシールドパネル４６に固定され、筐体４を設置面に支持する部材である。この脚部１１６の着座部１１８にはストッパ１２０が形成されている。このストッパ１２０には前側スタンド４４に実装されているゴム脚に対して比較的摩擦係数の低い物質が用いられ、前側スタンド４４を摩擦によって停止させ、後側のスタンド１４が前後に可動可能に設定されている。この脚部１１６には既述の窓部５８が形成されている。この窓部５８によれば、装置背面から出るコネクタケーブル類を挿通させることができ、そのケーブル類がばらけて乱雑になるのを防止することができる。
【００６３】
各ブラケット１０６には、図１７に示すように、既述のシールドパネル４６のスタンド取付け部５２の背面から挿通させた固定ねじ１０８を取り付けるねじ孔１２２が形成されている。したがって、スタンド１４は、シールドパネル４６の背面側からブラケット１０６に固定ねじ１０８をねじ込んで、着脱可能に取り付けることができる。
【００６４】
次に、このＰＣ４２の組立てについて、図１８を参照する。図１８は組立て工程の一例を示している。
【００６５】
この組立て工程は、本開示の電子装置の製造方法の一例である。この組立て工程では、図１８に示すように、筐体４の前面ケース６側の組立てを行い（ステップＳ２１）、前面ケース６の内側に本体シャーシ１０を取り付ける（ステップＳ２２）。
【００６６】
シールドパネル４６には予めスタンド１４が取り付けられ（ステップＳ２３）、単一の部品として構成される。この場合、背面カバー３２もシールドパネル４６に固定し、背面ケース８の切欠き部３０を塞ぐ準備をする。そして、スタンド１４を備えたシールドパネル４６は本体シャーシ１０に取り付ける（ステップＳ２４）。
【００６７】
スタンド１４を備えたシールドパネル４６が筐体４に組み込まれた後、既述の着脱機構１８Ａ、１８Ｂにより背面ケース８の取り付けを行い（ステップＳ２５）、ＰＣ４２を完成する。
【００６８】
このようなＰＣ４２では、背面ケース８をスタンド１４と別個に、スタンド１４と独立した部材として着脱できる。このため、組立てに際しては、予めスタンド１４をシールドパネル４６に固定し、シールドパネル４６の一部の部品として扱い、運搬することができる。この点は背面カバー３２についても同様である。
【００６９】
ＰＣ４２の部品交換などの修理にあっては、背面ケース８をスタンド１４と別個に着脱し、本体シャーシ１０からシールドパネル４６を外すことにより、つまりスタンド１４の着脱を有することなく、筐体４内部の実装部品に到達することができる。
【００７０】
スタンド１４は相当な重量を持つ筐体４の支持部材であって、できる限り着脱対象から外すことが好ましいが、この実施の形態では、シールドパネル４６を外すことにより、スタンド１４の着脱を伴うことなく、部品交換などのメンテナンスが行える。
【００７１】
以上説明したように、この実施の形態では、ＰＣ４２の組立て性およびメンテナンス性を高めることができ、しかも、スタンド１４を独立部品ではなく、シールドパネル４６と一体化して扱うことができ、取り扱い単位としての部品点数を削減できる。つまり、シールドパネル４６にスタンド１４を実装して単一部品として搬送でき、スタンド１４を個別に搬送する場合に比較し、スタンド１４の搬送分の輸送およびそのコストの低減を図ることができる。
【００７２】
〔他の実施の形態〕
【００７３】
(1) 上記実施の形態では、電子装置２の一例としてＰＣ４２を例示したが、これに限定されない。本発明は、テレビジョン受像機、ディスプレイ装置、電子掲示板、電子ゲーム機など、偏平形で縦置きの各種の電子機器に適用できる。
【００７４】
(2) 上記実施の形態では、筐体４の背面側に単一のスタンド１４を備えた構成を例示したが、複数のスタンドを構成する場合にも適用でき、単一のスタンド１４に限定されない。
【００７５】
(3) 上記第２の実施の形態では、着脱機構１８Ａについて、突部２１、２３を用いた両者の着脱を例示したが、ねじ固定構造でもよく、鉤部と溝部との係合でもよい。
【００７６】
(4) 上記第２の実施の形態では、着脱機構１８Ｂについて、ねじ固定構造を例示したが、既述の突部２１、２３を用いた両者の着脱でもよく、鉤部と溝部との係合でもよい。
【００７７】
(5) 上記実施の形態では、スタンド１４をシールドパネル４６に取り付けているが、本体シャーシ１０に直結した構造であってもよい。
【００７８】
(6) 上記実施の形態では、背面ケース８の切欠き部３０を塞ぐ背面カバー３２をスタンド支持部１２やシールドパネル４６に取り付けているが、スタンド１４側に取り付けてもよい。
【００７９】
以上説明したように、電子装置およびその製造方法の最も好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【００８０】
２  電子装置
４  筐体
６  前面ケース
８  背面ケース
１０  本体シャーシ
１２  スタンド支持部
１４  スタンド
１８Ａ、１８Ｂ  着脱機構
４６  シールドパネル
【図１】
2012230976.tif 000003
【図２】
2012230976.tif 000004
【図３】
2012230976.tif 000005
【図４】
2012230976.tif 000006
【図５】
2012230976.tif 000007
【図６】
2012230976.tif 000008
【図７】
2012230976.tif 000009
【図８】
2012230976.tif 000010
【図９】
2012230976.tif 000011
【図１０】
2012230976.tif 000012
【図１１】
2012230976.tif 000013
【図１２】
2012230976.tif 000014
【図１３】
2012230976.tif 000015
【図１４】
2012230976.tif 000016
【図１５】
2012230976.tif 000017
【図１６】
2012230976.tif 000018
【図１７】
2012230976.tif 000019
【図１８】
2012230976.tif 000020